(57)【要約】【課題】脱着が容易であり、かつ安定して天端レベルを設定することが可能な天端レベル管理具の提供。【解決手段】それぞれ水平方向に延びる下側鉄筋Ｒ１および上側鉄筋Ｒ２を十字に交差させた配筋Ｒの交差部に取り付けられる天端レベル管理具１であって、天端レベルの目印となるレベル設定用棒材３を支持する支持部２１であり、下側鉄筋Ｒ１および上側鉄筋Ｒ２に対してそれぞれ±４５°の角度で交差し、下側鉄筋Ｒ１の上面および上側鉄筋Ｒ２の上面に渡って段違いに延びる支持部２１と、支持部２１の下面の段違い位置にそれぞれ設けられ、下側鉄筋Ｒ１および上側鉄筋Ｒ２をそれぞれ上方から挟み込んで把持する一対の把持部２２Ａ，２２Ｂとを有する。【選択図】図１
2019094641.tif 000002
【特許請求の範囲】
【請求項１】
それぞれ水平方向に延びる下側鉄筋および上側鉄筋を十字に交差させた配筋の交差部に取り付けられる天端レベル管理具であって、
天端レベルの目印となるレベル設定用棒材を支持する支持部であり、前記下側鉄筋および前記上側鉄筋に対してそれぞれ±４５°の角度で交差し、前記下側鉄筋の上面と前記上側鉄筋の上面または下面とに渡って段違いに延びる支持部と、
前記支持部の前記下側鉄筋の対面位置と前記支持部の前記上側鉄筋の対面位置とにそれぞれ設けられ、前記下側鉄筋および前記上側鉄筋をそれぞれ挟み込んで把持する一対の把持部と
を有する天端レベル管理具。
【請求項２】
前記一対の把持部が、前記下側鉄筋および前記上側鉄筋をそれぞれ上方から挟み込んで把持するものである請求項１記載の天端レベル管理具。
【請求項３】
前記一対の把持部が、前記下側鉄筋を上方から挟み込み、前記上側鉄筋を側方から挟み込んで把持するものである請求項１記載の天端レベル管理具。
【請求項４】
前記一対の把持部が、前記下側鉄筋および前記上側鉄筋をそれぞれ側方から挟み込んで把持するものである請求項１記載の天端レベル管理具。
【請求項５】
前記一対の把持部は、それぞれの把持部によって把持する前記下側鉄筋および前記上側鉄筋が前記支持部の長手方向に対して±４５°の角度となるように設けられたものである請求項１から４のいずれか１項に記載の天端レベル管理具。
【請求項６】
前記支持部は、中途部に段差部が形成された板帯状である請求項１から５のいずれか１項に記載の天端レベル管理具。
【請求項７】
前記支持部は、前記レベル設定用棒材を取り付けるためのネジ穴を有する請求項１から６のいずれか１項の記載の天端レベル管理具。
【発明の詳細な説明】
【技術分野】
【０００１】
本発明は、べた基礎や床版（スラブ）などの水平に配設された鉄筋にコンクリートを打設して構築されるコンクリート構造物の天端レベルの設定に用いられる天端レベル管理具に関する。
【背景技術】
【０００２】
従来、水平に鉄筋が配置されるべた基礎や床版（スラブ）などを構築する際、鉄筋の交差部に天端レベル管理具を取り付け、この天端レベル管理具を目印にしてコンクリートを打設することが行われている。例えば、特許文献１には、縦筋に固定すべく平板を略Ｌ字形に折曲した凹状の縦筋固定部と同じく横筋固定部とを十字型に一体的に形成してある固定具と、縦筋固定部と横筋固定部の交差部垂直方向に床厚と同様か少し長めの支持棒であり、先端にスポンジを設けた支持棒とからなる構築用スペーサーが開示されている。
【０００３】
また、特許文献２には、本体、締結用ボルト、および天端棒からなり、本体は、板材を角Ｕ字形に曲げ加工してなるもので、その両側板部の遊端側に形成したフック部と、両側板部をつなぐ底板部にフック部に対向するように設けられて締結用ボルトが螺合貫通する第一ネジ孔と、この第一ネジ孔に隣接して底板部に設けられて天端棒が着脱自在に取り付けられる第二ネジ孔と、両側板部の内、一方の側板部に設けられて天端棒が着脱自在に取り付けられる直角向き第三ネジ孔と、他方の側板部の第三ネジ孔に対向する箇所に設けられた天端棒挿通孔を備えている天端ポイントが開示されている。
【先行技術文献】
【特許文献】
【０００４】
【特許文献１】特許第４２２６１９５号公報
【特許文献２】特許第４９２８４１１号公報
【発明の概要】
【発明が解決しようとする課題】
【０００５】
特許文献１に記載の構築用スペーサーでは、鉄筋の交差部に取り付ける際に、縦筋に縦筋固定部を、横筋に横筋固定部を配置した後、縦筋固定部および横筋固定部のそれぞれの突出部を折り曲げて固定する必要があるため、取り付け作業が面倒である。また、この突出部の折り曲げの際に鉄筋に密着するように折り曲げなかった場合、建築用スペーサーがぐらつくことになり、支持棒が安定しなくなるという問題がある。
【０００６】
また、特許文献２に記載の天端ポイントでは、本体のフック部を、締結用ボルトが下側横筋の下側に位置する向きで当該下側横筋に横から引っ掛け、締結用ボルトを締め付けてフック部と締結用ボルトの先端との間で下側横筋を挟持させるものであるが、横筋は通常、表面に凹凸の突起を有する異形棒鋼であるため、締結用ボルトで安定的に締め付けることは難しく、締め付けが甘い場合には本体が回転してしまうという問題がある。
【０００７】
そこで、本発明においては、脱着が容易であり、かつ安定して天端レベルを設定することが可能な天端レベル管理具を提供することを目的とする。
【課題を解決するための手段】
【０００８】
本発明の天端レベル管理具は、それぞれ水平方向に延びる下側鉄筋および上側鉄筋を十字に交差させた配筋の交差部に取り付けられる天端レベル管理具であって、天端レベルの目印となるレベル設定用棒材を支持する支持部であり、下側鉄筋および上側鉄筋に対してそれぞれ±４５°の角度で交差し、下側鉄筋の上面と上側鉄筋の上面または下面とに渡って段違いに延びる支持部と、支持部の下側鉄筋の対面位置と前記支持部の上側鉄筋の対面位置とにそれぞれ設けられ、下側鉄筋および上側鉄筋をそれぞれ挟み込んで把持する一対の把持部とを有する。
【０００９】
本発明の天端レベル管理具によれば、それぞれ水平方向に延びる下側鉄筋および上側鉄筋を十字に交差させた配筋の交差部の下側鉄筋および上側鉄筋に対してそれぞれ±４５°の角度で交差するように支持部を配し、この支持部の下側鉄筋の対面位置と上側鉄筋の対面位置とにそれぞれ設けられた一対の把持部により下側鉄筋および上側鉄筋を挟み込んで把持することで、支持部に支持されるレベル設定用棒材が配筋の交差部に取り付けられる。
【発明の効果】
【００１０】
本発明の天端レベル管理具は、配筋の交差部の下側鉄筋および上側鉄筋に対してそれぞれ±４５°の角度で交差するように支持部を配して一対の把持部により下側鉄筋および上側鉄筋を挟み込んで把持するだけで、一対の把持部により配筋の交差部に取り付け、また逆に上方へ引き上げるだけで取り外すことができ、脱着が容易である。また、配筋のピッチは現場によって様々であるが、本発明の天端レベル管理具は配筋の交差部に取り付けるものであるため、どのような配筋ピッチであっても対応可能である。
【００１１】
また、本発明の天端レベル管理具は、十字に交差する下側鉄筋および上側鉄筋を段違いに橋渡すようにして配筋の交差部に取り付けられ、±４５°の角度で交差してそれぞれ下側鉄筋および上側鉄筋を把持するため、回転しにくく、安定して天端レベルを設定することが可能である。
【図面の簡単な説明】
【００１２】
【図１】本発明の第１の実施の形態における天端レベル管理具の使用状態を示す平面図である。
【図２】本発明の第１の実施の形態における天端レベル管理具の使用状態を示す正面図である。
【図３】図１の固定部材の平面図である。
【図４】図３の固定部材の正面図である。
【図５】図３のＡ矢視図である。
【図６】図３のＢ矢視図である。
【図７】レベル設定用棒材の詳細を示す図であって、（Ａ）は平面図、（Ｂ）は正面図、（Ｃ）は底面図である。
【図８】レベル設定用棒材に取り付けられるレベル設定部材を示す図であって、（Ａ）は平面図、（Ｂ）はレベル設定用棒材に固定された状態を示す平面図である。
【図９】本発明の第２の実施の形態における天端レベル管理具の使用状態を示す平面図である。
【図１０】本発明の第２の実施の形態における天端レベル管理具の使用状態を示す正面図である。
【図１１】本発明の第３の実施の形態における天端レベル管理具の使用状態を示す平面図である。
【図１２】本発明の第３の実施の形態における天端レベル管理具の使用状態を示す正面図である。
【発明を実施するための形態】
【００１３】
（実施の形態１）
図１は本発明の第１の実施の形態における天端レベル管理具の使用状態を示す平面図、図２は正面図、図３は図１の固定部材の平面図、図４は図３の固定部材の正面図、図５は図３のＡ矢視図、図６は図１のＢ矢視図、図７はレベル設定用棒材の詳細を示す図であって、（Ａ）は平面図、（Ｂ）は正面図、（Ｃ）は底面図、図８はレベル設定用棒材に取り付けられるレベル設定部材を示す図であって、（Ａ）は平面図、（Ｂ）はレベル設定用棒材に固定された状態を示す平面図である。
【００１４】
図１および図２に示すように、本発明の第１の実施の形態における天端レベル管理具１は、水平に配設された配筋Ｒにコンクリートを打設してべた基礎や床版（スラブ）などのコンクリート構造物を形成するときの天端レベルの設定に用いられる治工具である。配筋Ｒは、それぞれ水平方向に延びる下側鉄筋Ｒ１および上側鉄筋Ｒ２を十字に交差させて形成されている。天端レベル管理具１は、この配筋Ｒの下側鉄筋Ｒ１および上側鉄筋Ｒ２の交差部に取り付けられる。下側鉄筋Ｒ１および上側鉄筋Ｒ２は、一般的に表面に凹凸の突起を有する異形棒鋼が用いられる。
【００１５】
天端レベル管理具１は、配筋Ｒに取り付けられる固定部材２と、固定部材２に固定され、天端レベルの目印となるレベル設定用棒材３と、レベル設定用棒材３に取り付けられるレベル設定部材４とから構成される。
【００１６】
固定部材２は、配筋Ｒの下側鉄筋Ｒ１および上側鉄筋Ｒ２の交差部に取り付けられる。固定部材２は、図３および図４に示すように、厚さ２ｍｍ前後の鋼板の中途部に段差部２０が形成された帯板状の支持部２１と、支持部２１の下側鉄筋Ｒ１の対面位置と上側鉄筋Ｒ１の対面位置とにそれぞれ設けられた一対の把持部２２Ａ，２２Ｂとを有する。一対の把持部２２Ａ，２２Ｂは、それぞれの把持部２２Ａ，２２Ｂによって把持する下側鉄筋Ｒ１および上側鉄筋Ｒ２が支持部２１の長手方向Ｘに対して±４５°の角度となるように設けられている。
【００１７】
支持部２１は、下側鉄筋Ｒ１および上側鉄筋Ｒ２に対してそれぞれ±４５°の角度で交差する。支持部２１は、下側鉄筋Ｒ１の上面と上側鉄筋Ｒ２の上面とに渡って段差部２０を境に段違いに延びている。また、支持部２１の中央部には、レベル設定用棒材３を取り付けるためのネジ穴２３が設けられている。なお、ネジ穴２３は、支持部２１の下段側、すなわち、下側鉄筋Ｒ１と上側鉄筋Ｒ２との高さ方向の間の位置に設けられている。
【００１８】
一対の把持部２２Ａ，２２Ｂは、下側鉄筋Ｒ１および上側鉄筋Ｒ２をそれぞれ上方から挟み込んで把持するものである。把持部２２Ａ，２２Ｂは、下方が開口された板ばねにより形成されている。把持部２２Ａ，２２Ｂは、段差部２０を挟んで支持部２１の両端部の下面に溶接されている。なお、把持部２２Ａ，２２Ｂの形状は適宜変更可能である。要するに、把持部２２Ａ，２２Ｂは、それぞれ下側鉄筋Ｒ１および上側鉄筋Ｒ２を支持部２１の長手方向Ｘに対して±４５°の角度で把持可能であれば良く、把持長さＬも任意に設定可能である。
【００１９】
レベル設定用棒材３は、図７に示すように、円柱状のゴム製の棒材３０の下端に、固定部材２の支持部２１のネジ穴２３に螺合可能なネジ３１が設けられたものである。棒材３０は弾性変形可能となっており、コンクリートを打設する際に曲がっても元の形状に復帰する。このレベル設定用棒材３は、予め支持部２１のネジ穴２３に螺合された状態で、固定部材２とともに配筋Ｒの交差部に取り付けられる。
【００２０】
レベル設定部材４は、レベル設定用棒材３に取り付けて、コンクリートを打設する際の天端レベルの目安とするものである。例えば、コンクリートを打設する際に、レベル設定部材４の下端をコンクリートの天端レベルとして設定する。レベル設定部材４は、硬質樹脂で形成されている。硬質樹脂としては、例えば、ＰＰ（ポリプロピレン）、ＰＯＭ（ポリアセタール）、ＡＢＳ樹脂、ＰＣ（ポリカーボネート）、ＰＡ６（ポリアミド）等の工業用プラスチック樹脂を用いることができる。
【００２１】
レベル設定部材４は、図８に示すように、レベル設定用棒材３を両側から挟み込んで固定する対となる挟持部４１，４２を備える。挟持部４１，４２は略Ｃ字状に形成されている。挟持部４１，４２は、それぞれの掛止位置を調整可能な調整部４３を備えている。調整部４３は、一方の挟持部４１に形成されたラチェット歯４４と、他方の挟持部４２に形成されたラチェット爪４５により構成されている。
【００２２】
挟持部４１，４２は、それぞれの基部に屈曲可能なヒンジ部４６，４７をそれぞれ備えて円弧状に形成されている。ヒンジ部４６，４７は、それぞれの基部の肉厚を薄くすることにより形成され、他の部材は不要である。
【００２３】
一方の挟持部４１は、レベル設定用棒材３の外周に当接する一側円弧部４８を内側に形成するとともに外向きのラチェット歯４４を有する一側保持部４９を外側に形成している。一側円弧部４８と一側保持部４９とは、それぞれ円弧状に配置されるとともにそれぞれの基部および先部を接続して、中間部を離して配置している。ラチェット歯４４は三角歯状に形成されている。
【００２４】
他方の挟持部４２は、レベル設定用棒材３の外周に当接する他側円弧部５０を内側に形成し、ラチェット歯４４に歯合する複数の内向きのラチェット爪４５を有する他側保持部５１を外側に形成している。他側円弧部５０と他側保持部５１は、それぞれ円弧状に配置されるとともにそれぞれの基部を接続して、中間部および先部を離して配置している。ラチェット爪４５は三角歯状に形成されている。
【００２５】
他側保持部５１の外周部は、上下方向の中央部が接続され、その上下には、複数の縦溝５２が形成されている。このようにして、横方向に力が加わったときの強度を保持しながら、成型時の変形が防止されている。また、縦溝５２は、滑り止めも兼ねている。
【００２６】
一側円弧部４８および他側円弧部５０の肉厚は、略同じで、かつ一側保持部４９の肉厚より薄く形成されている。また、一側保持部４９の肉厚は、他側保持部５１の肉厚より薄く形成されている。一側円弧部４８および一側保持部４９の先部は接続されているので、これらの部材は、他側円弧部５０、一側円弧部４８、一側保持部４９、他側保持部５１の順に屈曲しやすくなっている。
【００２７】
上記構成のレベル設定部材４は、図８（Ａ）に示すように、挟持部４１，４２を開いた状態で、その間にレベル設定用棒材３を配置される。次いで、図８（Ｂ）に示すように、挟持部４１，４２の先端同士が近接する方向にヒンジ部４６，４７を屈曲させると、挟持部４１の接続された一側円弧部４８と一側保持部４９との先端が、他側円弧部５０と他側保持部５１との間に嵌入する。
【００２８】
さらに、挟持部４１を押し込むと、ラチェット歯４４とラチェット爪４５とが歯合する。このとき、ラチェット歯４４が設けられた一側保持部４９が、他側保持部５１によって、レベル設定用棒材３側に押圧され、これとともに、一側円弧部４８が他側円弧部５０をレベル設定用棒材３側に押圧する。このように、挟持部４１を押し込むにつれて、レベル設定用棒材３は、一側円弧部４８と他側円弧部５０とによって締め付けられる。挟持部４１，４２は、他側円弧部５０、一側円弧部４８、一側保持部４９、他側保持部５１の順に屈曲しやすく形成されているので、ラチェット歯４４とラチェット爪４５を強固に掛合した状態で、一側円弧部４８と他側円弧部５０を変形させてレベル設定用棒材３を確実に挟持することができ、コンクリートの打設によって傾斜したり上下に移動したりすることを防止している。
【００２９】
なお、天端レベル位置を変更したいときは、他側保持部５１の先部をレベル設定用棒材３から離れる方向に引くと、ラチェット爪４５がラチェット歯４４から離れてレベル設定用棒材３と一側円弧部４８および他側円弧部５０との締結状態が緩められるので、この状態で、レベル設定部材４全体を上下に移動させることができる。
【００３０】
次に、天端レベル管理具１の使用手順について説明する。
天端レベル管理具１は、通常は、固定部材２とレベル設定用棒材３とレベル設定部材４とを組み立てた状態で使用される。使用時には、固定部材２の支持部２１が配筋Ｒの交差部の下側鉄筋Ｒ１および上側鉄筋Ｒ２に対してそれぞれ±４５°の角度で交差するように配し、この支持部２１の下面の両端部にそれぞれ設けられた一対の把持部２２Ａ，２２Ｂの開口をそれぞれ下側鉄筋Ｒ１および上側鉄筋Ｒ２の上方から押し付け、下側鉄筋Ｒ１および上側鉄筋Ｒ２をそれぞれ上方から挟み込んで把持部２２Ａ，２２Ｂにより把持し、配筋Ｒの交差部に固定する。
【００３１】
天端レベル管理具１は、配筋Ｒの複数箇所に所定間隔おきに設置する。配筋Ｒに使用する下側鉄筋Ｒ１および上側鉄筋Ｒ２は、コンクリート構造物の規模等によって異なるが、例えば、１３ｍｍや１６ｍｍの異形棒鋼に対しても、板ばねにより形成された一対の把持部２２Ａ，２２Ｂにより天端レベル管理具１を確実に固定することできる。
【００３２】
次に、別途配置したレーザ発光器（図示せず。）を、各天端レベル管理具１のレベル設定用棒材３に取り付けたレベル設定部材４の例えば上端を狙った状態にしておき、前述のようにレベル設定部材４のラチェット爪４５がラチェット歯４４から離れてレベル設定用棒材３と一側円弧部４８および他側円弧部５０との締結状態が緩められた状態として、レベル設定部材４を上下に移動させ、レベル設定部材４の厚みを考慮してその下端が所定レベルになるように微調整を行う。このようにして、レベル設定部材４の下端レベルを同じ高さに調整することができる。
【００３３】
次いで、コンクリートをレベル設定部材４の下端レベルまで打設する。コンクリート打設後はレベル設定用棒材３を回転させてネジ穴２３から解き、レベル設定部材４ごとレベル設定用棒材３を取り外す。固定部材２は鋼材により形成されているため、そのままコンクリート内に残す。
【００３４】
以上のように、本実施形態における天端レベル管理具１によれば、配筋Ｒの交差部の下側鉄筋Ｒ１および上側鉄筋Ｒ２に対してそれぞれ±４５°の角度で交差するように支持部２１を配して上方から押し付けるだけで、一対の把持部２２Ａ，２２Ｂにより配筋Ｒの交差部に容易に取り付けることが可能である。また逆に、天端レベル管理具１は上方へ引き上げると、板ばねが弾性変形して取り外すことができるため、天端レベル管理具１の配置の変更も容易である。
【００３５】
また、この天端レベル管理具１は、十字に交差する下側鉄筋Ｒ１および上側鉄筋Ｒ２を段違いに橋渡すようにして配筋Ｒの交差部に取り付けられ、±４５°の角度で交差してそれぞれ下側鉄筋Ｒ１および上側鉄筋Ｒ２を把持するため、コンクリート打設時にレベル設定用棒材３に力が加わっても回転しにくく、安定して天端レベルを設定することが可能である。
【００３６】
（実施の形態２）
次に、本発明の天端レベル管理具の第２実施形態について説明する。図９は本発明の第２の実施の形態における天端レベル管理具の使用状態を示す平面図、図１０は正面図である。なお、前述の天端レベル管理具１と共通する構成要素については同一符号を付し、その詳細な説明を省略する。
【００３７】
図９および図１０に示すように、本発明の第２の実施の形態における天端レベル管理具１Ａは、第１実施形態における固定部材２に代えて、固定部材６を用いる。固定部材６は、厚さ２ｍｍ前後の鋼板の中途部に段差部６０が形成された帯板状の支持部６１と、支持部６１の下側鉄筋Ｒ１の対面位置と上側鉄筋Ｒ１の対面位置とにそれぞれ設けられた一対の把持部６２Ａ，６２Ｂとを有する。
【００３８】
支持部６１は、下側鉄筋Ｒ１および上側鉄筋Ｒ２に対してそれぞれ±４５°の角度で交差する。支持部６１は、下側鉄筋Ｒ１の上面と上側鉄筋Ｒ２の下面とに渡って段差部６０を境に段違いに延びている。
【００３９】
一対の把持部６２Ａ，６２Ｂは、一方の把持部６２Ａが下側鉄筋Ｒ１を上方から挟み込んで把持し、他方の把持部６２Ｂが上側鉄筋Ｒ２を側方から挟み込んで把持するものである。一対の把持部６２Ａ，６２Ｂは、前述の把持部２２Ａ，２２Ｂと同様、それぞれの把持部６２Ａ，６２Ｂによって把持する下側鉄筋Ｒ１および上側鉄筋Ｒ２が支持部６１の長手方向Ｘに対して±４５°の角度となるように設けられている。
【００４０】
把持部６２Ａは把持部２２Ａと同様に下方が開口された板ばねにより形成され、把持部６２Ｂは側方が開口された板ばねにより形成されている。把持部６２Ａは支持部２１の下面に溶接され、把持部６２Ｂは支持部２１の上面に溶接されている。把持部６２Ａ，６２Ｂの形状および把持長さは適宜変更可能である。
【００４１】
この天端レベル管理具１Ａの使用の際は、固定部材６の支持部６１が配筋Ｒの交差部の下側鉄筋Ｒ１および上側鉄筋Ｒ２に対してそれぞれ±４５°の角度で交差するように配し、この支持部６１の把持部６２Ａの開口を下側鉄筋Ｒ１の上方から押し付けるとともに、把持部６２Ｂの開口を上側鉄筋Ｒ１の側方から押し付けることで、下側鉄筋Ｒ１を上方から、上側鉄筋Ｒ２を側方からそれぞれ挟み込んで把持部６２Ａ，６２Ｂにより把持し、配筋Ｒの交差部に容易に固定することができる。
【００４２】
（実施の形態３）
次に、本発明の天端レベル管理具の第３実施形態について説明する。図１１は本発明の第３の実施の形態における天端レベル管理具の使用状態を示す平面図、図１２は正面図である。なお、前述の天端レベル管理具１，１Ａと共通する構成要素については同一符号を付し、その詳細な説明を省略する。
【００４３】
図１１および図１２に示すように、本発明の第３の実施の形態における天端レベル管理具１Ｂは、第１実施形態における固定部材２に代えて、固定部材７を用いる。固定部材７は、厚さ２ｍｍ前後の鋼板の中途部に段差部７０が形成された帯板状の支持部７１と、支持部７１の下側鉄筋Ｒ１の対面位置と上側鉄筋Ｒ１の対面位置とにそれぞれ設けられた一対の把持部７２Ａ，７２Ｂとを有する。
【００４４】
支持部７１は、下側鉄筋Ｒ１および上側鉄筋Ｒ２に対してそれぞれ±４５°の角度で交差する。支持部７１は、下側鉄筋Ｒ１の上面と上側鉄筋Ｒ２の下面とに渡って段差部７０を境に段違いに延びている。
【００４５】
一対の把持部７２Ａ，７２Ｂは、下側鉄筋Ｒ１および上側鉄筋Ｒ２をそれぞれ側方から挟み込んで把持するものである。把持部７２Ａ，７２Ｂは、前述の把持部２２Ａ，２２Ｂと同様、それぞれの把持部７２Ａ，７２Ｂによって把持する下側鉄筋Ｒ１および上側鉄筋Ｒ２が支持部７１の長手方向Ｘに対して±４５°の角度となるように設けられている。
【００４６】
把持部７２Ａ，７２Ｂは前述の把持部６２Ｂと同様に側方が開口された板ばねにより形成されている。把持部７２Ａは支持部２１の下面に溶接され、把持部７２Ｂは支持部２１の上面に溶接されている。把持部７２Ａ，７２Ｂの形状および把持長さは適宜変更可能である。
【００４７】
この天端レベル管理具１Ｂの使用の際は、固定部材７の支持部７１が配筋Ｒの交差部の下側鉄筋Ｒ１および上側鉄筋Ｒ２に対してそれぞれ±４５°の角度で交差するように配し、この支持部７１の把持部７２Ａ，７２Ｂの開口をそれぞれ下側鉄筋Ｒ１および上側鉄筋Ｒ１の側方から押し付けることで、下側鉄筋Ｒ１および上側鉄筋Ｒ２を側方からそれぞれ挟み込んで把持部７２Ａ，７２Ｂにより把持し、配筋Ｒの交差部に容易に固定することができる。
【産業上の利用可能性】
【００４８】
本発明の天端レベル管理具は、べた基礎や床版（スラブ）などの水平に配設された鉄筋にコンクリートを打設して構築されるコンクリート構造物の天端レベルの設定に有用である。
【符号の説明】
【００４９】
Ｒ  配筋
Ｒ１  下側鉄筋
Ｒ２  上側鉄筋
１，１Ａ，１Ｂ  天端レベル管理具
２，２Ａ，６，７  固定部材
３  レベル設定用棒材
４  レベル設定部材
２０，６０，７０  段差部
２１，６１，７１  支持部
２２Ａ，２２Ｂ，６２Ａ，６２Ｂ，７２Ａ，７２Ｂ  把持部
２３  ネジ穴
【図１】
2019094641.tif 000003
【図２】
2019094641.tif 000004
【図３】
2019094641.tif 000005
【図４】
2019094641.tif 000006
【図５】
2019094641.tif 000007
【図６】
2019094641.tif 000008
【図７】
2019094641.tif 000009
【図８】
2019094641.tif 000010
【図９】
2019094641.tif 000011
【図１０】
2019094641.tif 000012
【図１１】
2019094641.tif 000013
【図１２】
2019094641.tif 000014